(57)【要約】【課題】ＶＨＦハイバンドの低域チャネルから中間域チャネル受信時の選択性能を低下させることなく、ＶＨＦハイバンドの高域チャネル受信時の妨害耐性を向上させることができる受信チューナを提供すること。【解決手段】入力端子２１に接続されたＶＨＦ入力ライン３およびＵＨＦ入力ライン４と、ＵＨＦ入力ライン４に設けられたスイッチングダイオードＤ１と、スイッチングダイオードＤ１に並列に接続されたコンデンサＣ２と、スイッチングダイオードＤ１のカソードとコンデンサＣ２との接続点に接続され、コンデンサＣ２よりも容量値の大きなコンデンサＣ１と、コンデンサＣ１に接続され、ＵＨＦ入力ライン４とグランドとの間に設けられたインダクタＬ１とを有し、ＶＨＦハイバンドの高域チャネル受信時にスイッチングダイオードＤ１を導通させて、ＶＨＦハイバンドの高域チャネルに対して低域側の信号を減衰させる構成とした。【選択図】図１
2011019168.tif 000002
【特許請求の範囲】
【請求項１】
入力端子と、
前記入力端子に接続され、ＶＨＦハイバンド信号およびＶＨＦローバンド信号が選択的に入力されるＶＨＦ入力ラインと、
前記入力端子に接続され、ＵＨＦバンド信号が入力されるＵＨＦ入力ラインと、
前記ＵＨＦ入力ラインに設けられたスイッチング素子と、
前記スイッチング素子に並列に接続された第１のキャパシタと、
前記スイッチング素子と前記第１のキャパシタとの前記入力端子とは逆側の接続点に一端が接続され、前記第１のキャパシタよりも容量値の大きな第２のキャパシタと、
前記第２のキャパシタの他端に接続され、前記ＵＨＦ入力ラインとグランドとの間に設けられたインダクタとを有し、
前記ＶＨＦハイバンドにおいて所定周波数以上の周波数の信号受信時に前記スイッチング素子を導通させて、前記所定周波数よりも低い周波数の信号を減衰させるようにしたことを特徴とする受信チューナ。
【請求項２】
前記ＶＨＦハイバンドにおいて前記所定周波数より低い周波数の信号受信時に前記スイッチング素子を非導通として、前記所定周波数以上の周波数の信号を減衰させるようにしたことを特徴とする請求項１に記載の受信チューナ。
【請求項３】
前記ＵＨＦバンド信号受信時に前記スイッチング素子を非導通としたことを特徴とする請求項１または請求項２に記載の受信チューナ。
【請求項４】
前記スイッチング素子がスイッチングダイオードであることを特徴とする請求項１から請求項３のいずれかに記載の受信チューナ。
【発明の詳細な説明】
【技術分野】
【０００１】
本発明は、ＶＨＦバンドおよびＵＨＦバンドのテレビジョン信号を受信可能な受信チューナに関する。
【背景技術】
【０００２】
従来、テレビジョン信号を受信する受信チューナとして、ＶＨＦローバンド、ＶＨＦハイバンドおよびＵＨＦバンドのテレビジョン信号を受信する受信チューナが知られている（例えば、特許文献１参照）。図５に示すように、従来の受信チューナ３１は、ＶＨＦバンドのアンテナ同調機能を有するアンテナ入力回路３２を有している。アンテナ入力回路３２は、ＶＨＦ入力ライン３３を介してＶＨＦ高周波増幅回路４１、ＶＨＦ高周波同調回路４２、ＶＨＦ混合回路４３に接続されると共に、ＵＨＦ入力ライン３４を介してＵＨＦアンテナ同調回路４５、ＵＨＦ高周波増幅回路４６、ＵＨＦ高周波同調回路４７、ＵＨＦ混合回路４８に接続される。ＶＨＦ混合回路４３およびＵＨＦ混合回路４８は、ＩＦ増幅回路４９に接続される。
【０００３】
アンテナ入力回路３２の入力端子５１は、ＵＨＦ入力ライン３４に設けられた直流カット用のコンデンサＣ１１を介して第１のスイッチングダイオードＤ１１のアノードに接続され、第１のスイッチングダイオードＤ１１のカソードはＵＨＦアンテナ同調回路４５に接続される。また、第１のスイッチングダイオードＤ１１のアノードは、抵抗Ｒ１１および第１のスイッチＳ１１を介して第１の電源５３に接続される。第１のスイッチングダイオードＤ１１のカソードとＵＨＦアンテナ同調回路４５との接続点は、インダクタＬ１１を介してグランドに接地される。
【０００４】
また、入力端子５１は、ＶＨＦ入力ライン３３に設けられたインダクタＬ１２、コンデンサＣ１２、インダクタＬ１３、コンデンサＣ１３を介してＶＨＦ高周波増幅回路４１に接続される。ＶＨＦ入力ライン３３には、インダクタＬ１４を介して第２のスイッチングダイオードＤ１２のアノードが接続され、第２のスイッチングダイオードＤ１２のカソードはコンデンサＣ１４を介してグランドに接地される。第２のスイッチングダイオードＤ１２のアノードとカソードとの間には、第２のスイッチングダイオードＤ１２と並列にコンデンサＣ１５が接続されている。第２のスイッチングダイオードＤ１２のカソードは、抵抗Ｒ１２および第２のスイッチＳ１２を介して第２の電源５４に接続される。
【０００５】
また、ＶＨＦ入力ライン３３は、インダクタＬ１５、Ｌ１６、コンデンサＣ１６を介してグランドに接地される。インダクタＬ１６とコンデンサＣ１６との接続点は、抵抗Ｒ１３を介して第３の電源５５に接続されると共に、抵抗Ｒ１４を介してグランドに接地される。ＶＨＦ入力ライン３３に設けられたインダクタＬ１２とコンデンサＣ１２との接続点は、第３のスイッチングダイオードＤ１３のアノードに接続され、第３のスイッチングダイオードＤ１３のカソードはコンデンサＣ１７を介してインダクタＬ１５、Ｌ１６の接続点に接続されると共に、抵抗Ｒ１５および第２のスイッチＳ１２を介して第２の電源５４に接続される。
【０００６】
さらに、ＶＨＦ入力ライン３３に設けられたインダクタＬ１３とコンデンサＣ１３との間には、バラクタダイオードＶＤのカソードが接続され、バラクタダイオードＶＤのアノードはグランドに接地される。このように構成された受信チューナ３１においては、第１、第２のスイッチＳ１１、Ｓ１２の切り替えにより第１、第２、第３のスイッチングダイオードＤ１１、Ｄ１２、Ｄ１３の導通状態が可変され、ＶＨＦローバンド、ＶＨＦハイバンドおよびＵＨＦバンドで受信帯域が切り替えられる。
【先行技術文献】
【特許文献】
【０００７】
【特許文献１】特開２００３−３０９４５５号公報
【発明の概要】
【発明が解決しようとする課題】
【０００８】
上記した、従来の受信チューナ３１において、ＶＨＦハイバンドに受信帯域が切り替えられる場合には、第１のスイッチングダイオードＤ１１が非導通状態、第２、第３のスイッチングダイオードＤ１２、Ｄ１３が導通状態とされる。このとき、第２のスイッチングダイオードＤ１２が導通状態にされるため、ＶＨＦ入力ライン３３がインダクタＬ１４、コンデンサＣ１４からなる直列共振回路を介してグランドに接続され、受信チャネルの選択特性が向上される。しかしながら、この共振回路では、図６（ａ）、（ｂ）に示すように、ＶＨＦハイバンドの低域チャネルから中間域チャネル受信時に選択特性が向上されるが、図６（ｃ）に示すように、ＶＨＦハイバンドの高域チャネル受信時に受信チャネルに対して低域側の妨害耐性が劣化するという問題があった。
【０００９】
本発明はかかる点に鑑みてなされたものであり、ＶＨＦハイバンドの低域チャネルから中間域チャネル受信時の選択性能を低下させることなく、ＶＨＦハイバンドの高域チャネル受信時の妨害耐性を向上させることができる受信チューナを提供することを目的とする。
【課題を解決するための手段】
【００１０】
本発明の受信チューナは、入力端子と、前記入力端子に接続され、ＶＨＦハイバンド信号およびＶＨＦローバンド信号が選択的に入力されるＶＨＦ入力ラインと、前記入力端子に接続され、ＵＨＦバンド信号が入力されるＵＨＦ入力ラインと、前記ＵＨＦ入力ラインに設けられたスイッチング素子と、前記スイッチング素子に並列に接続された第１のキャパシタと、前記スイッチング素子と前記第１のキャパシタとの前記入力端子とは逆側の接続点に一端が接続され、前記第１のキャパシタよりも容量値の大きな第２のキャパシタと、前記第２のキャパシタの他端に接続され、前記ＵＨＦ入力ラインとグランドとの間に設けられたインダクタとを有し、前記ＶＨＦハイバンドにおいて所定周波数以上の周波数の信号受信時に前記スイッチング素子を導通させて、前記所定周波数よりも低い周波数の信号を減衰させるようにしたことを特徴とする。
【００１１】
この構成によれば、ＶＨＦハイバンドにおいて所定周波数以上の周波数の信号受信時に、ＶＨＦ入力ラインがスイッチング素子を介してグランドに接続される。この場合、ＶＨＦ入力ラインとグランドとの間には、第２のキャパシタおよびインダクタからなる直列共振回路が形成され、第２のキャパシタの容量値が第１のキャパシタの容量値よりも大きいことから、直列共振回路の容量性リアクタンスが増加して減衰極が低域側に移動される。よって、ＶＨＦハイバンドにおいて所定周波数以上の周波数の信号受信時に受信周波数に対して低域側の妨害耐性を向上させることができる。
【００１２】
本発明は、上記受信チューナにおいて、前記ＶＨＦハイバンドにおいて前記所定周波数より低い周波数の信号受信時に前記スイッチング素子を非導通として、前記所定周波数以上の周波数の信号を減衰させるようにしたことを特徴とする。
【００１３】
この構成によれば、ＶＨＦハイバンドにおいて所定周波数より低い周波数の信号受信時に、ＶＨＦ入力ラインがスイッチング素子を介さずに第１のキャパシタを介してグランドに接続される。この場合、ＶＨＦ入力ラインとグランドとの間には第１のキャパシタ、第２のキャパシタ、インダクタからなる直列共振回路が形成され、第１のキャパシタおよび第２のキャパシタの合成容量が小さくなることから、直列共振回路の容量性リアクタンスが低下して減衰極が高域側に移動される。よって、所定周波数以上の周波数の信号が減衰され、ＶＨＦハイバンドにおいて所定周波数より低い周波数の信号受信時に受信周波数に対して高域側の妨害特性を向上させることができる。
【００１４】
本発明は、上記受信チューナにおいて、前記ＵＨＦバンド信号受信時に前記スイッチング素子を非導通としたことを特徴とする。
【００１５】
この構成によれば、スイッチング素子が非導通にされることにより、ＵＨＦ入力ラインがインダクタを介してグランドに接続されるため、インダクタをＵＨＦバンド信号受信時のハイパスフィルタとして機能させることができる。
【００１６】
本発明は、上記受信チューナにおいて、前記スイッチング素子をスイッチングダイオードで構成することができる。
【発明の効果】
【００１７】
本発明によれば、ＶＨＦハイバンドの低域チャネルから中間域チャネル受信時の選択性能を低下させることなく、ＶＨＦハイバンドの高域チャネル受信時の妨害耐性を向上させることができる。
【図面の簡単な説明】
【００１８】
【図１】本発明に係る受信チューナの実施の形態を示す図であり、受信チューナの回路構成図である。
【図２】本発明に係る受信チューナの実施の形態を示す図であり、受信チューナの切り替え動作時の各スイッチングダイオードの導通状態を示す図である。
【図３】本発明に係る受信チューナの実施の形態を示す図であり、ＶＨＦハイバンドのアンテナ選択特性の一例を示す図である。
【図４】本発明に係る受信チューナの実施の形態を示す図であり、受信チューナに入力された入力信号の入力電界レベルと妨害耐性との関係の一例を示す図である。
【図５】本発明に係る受信チューナの従来例を示す図であり、受信チューナの回路構成図である。
【図６】本発明に係る受信チューナの従来例を示す図であり、ＶＨＦハイバンドのアンテナ選択特性の一例を示す図である。
【発明を実施するための形態】
【００１９】
以下、本発明の実施の形態について添付図面を参照して詳細に説明する。なお、本発明の実施の形態に係る受信チューナは、ＶＨＦハイバンドに受信帯域を切り替える際に、低域から中間域チャネル受信時と高域チャネル受信時とでアンテナ入力回路の回路構成を切り替えることにより、低域チャネルから中間域チャネル受信時の選択性能を低下させることなく、高域チャネル受信時の妨害耐性を向上させるようにしたものである。図１は、本発明の実施の形態に係る受信チューナの回路構成図である。
【００２０】
図１に示すように、受信チューナ１は、ＶＨＦローバンド、ＶＨＦハイバンドおよびＵＨＦバンドのテレビジョン信号を受信するものであり、ＶＨＦバンドのアンテナ同調機能を有するアンテナ入力回路２を有している。アンテナ入力回路２は、ＶＨＦ入力ライン３を介してＶＨＦ高周波増幅回路１１、ＶＨＦ高周波同調回路１２、ＶＨＦ混合回路１３に接続されると共に、ＵＨＦ入力ライン４を介してＵＨＦアンテナ同調回路１５、ＵＨＦ高周波増幅回路１６、ＵＨＦ高周波同調回路１７、ＵＨＦ混合回路１８に接続される。ＶＨＦ混合回路１３およびＵＨＦ混合回路１８は、ＩＦ増幅回路１９に接続される。
【００２１】
アンテナ入力回路２の入力端子２１は、ＵＨＦ入力ライン４に設けられた第１のスイッチングダイオードＤ１のアノードに接続され、第１のスイッチングダイオードＤ１のカソードは、コンデンサＣ１を介してＵＨＦアンテナ同調回路１５に接続される。また、第１のスイッチングダイオードＤ１のアノードおよびカソード間には、第１のスイッチングダイオードＤ１に対して並列にコンデンサＣ２が接続される。この場合、コンデンサＣ１の容量値は、コンデンサＣ２の容量値よりも大きく設定され、例えば、コンデンサＣ１の容量値が２２０［ｐＦ］であるのに対し、コンデンサＣ２の容量値は８［ｐＦ］である。
【００２２】
第１のスイッチングダイオードＤ１のカソードとコンデンサＣ１との接続点は、抵抗Ｒ１および第１のスイッチＳ１を介して第１の電源２３に接続される。第１のスイッチＳ１は、切り替えにより第１の電源２３とグランドとを選択的に第１のスイッチングダイオードＤ１のカソードに導通させる。コンデンサＣ１およびＵＨＦアンテナ同調回路１５との接続点は、インダクタＬ１を介してグランドに接地される。
【００２３】
また、入力端子２１は、ＶＨＦ入力ライン３に設けられたインダクタＬ２、コンデンサＣ３、インダクタＬ３、コンデンサＣ４を介してＶＨＦ高周波増幅回路１１に接続される。ＶＨＦ入力ライン３のインダクタＬ２の前段には、インダクタＬ４を介して第２のスイッチングダイオードＤ２のアノードが接続され、第２のスイッチングダイオードＤ２のカソードはコンデンサＣ５を介してグランドに接地される。第２のスイッチングダイオードＤ２のアノードとカソードとの間には、第２のスイッチングダイオードＤ２に対して並列にコンデンサＣ６が接続されている。
【００２４】
第２のスイッチングダイオードＤ２のカソードは、抵抗Ｒ２および第２のスイッチＳ２を介して第２の電源２４に接続される。第２のスイッチＳ２は、切り替えにより第２の電源２４とグランドとを選択的に第２のスイッチングダイオードＤ２のカソードに導通させる。
【００２５】
また、ＶＨＦ入力ライン３のインダクタＬ２の前段は、インダクタＬ５、Ｌ６およびコンデンサＣ７を介してグランドに接地される。インダクタＬ６とコンデンサＣ７との接続点は、抵抗Ｒ３を介して第３の電源２５に接続されると共に、抵抗Ｒ４を介してグランドに接地される。ＶＨＦ入力ライン３に設けられたインダクタＬ２とコンデンサＣ３との接続点は、第３のスイッチングダイオードＤ３のアノードに接続され、第３のスイッチングダイオードＤ３のカソードはコンデンサＣ８を介してインダクタＬ５、Ｌ６の接続点に接続されると共に、抵抗Ｒ５および第２のスイッチＳ２を介して第２の電源２４に接続される。
【００２６】
さらに、ＶＨＦ入力ライン３に設けられたインダクタＬ３とコンデンサＣ４との間には、バラクタダイオードＶＤのカソードが接続され、バラクタダイオードＶＤのアノードはグランドに接地される。ＵＨＦ高周波増幅回路１６には、抵抗Ｒ６および第３のスイッチＳ３を介して第４の電源２６が接続され、ＵＨＦバンドのテレビジョン信号受信時に、第３のスイッチＳ３によりＵＨＦ高周波増幅回路１６に直流電圧が印加される。
【００２７】
このように構成された受信チューナ１においては、第３の電源２５から出力されたバイアス電圧が抵抗Ｒ３、Ｒ４において分圧され、インダクタＬ５、Ｌ６を介して第１のスイッチングダイオードＤ１のアノード、インダクタＬ４、Ｌ５、Ｌ６を介して第２のスイッチングダイオードＤ２のアノード、インダクタＬ２、Ｌ５、Ｌ６を介して第３のスイッチングダイオードＤ３のアノードにそれぞれ印加される。
【００２８】
また、第１のスイッチＳ１の切り替えにより、第１の電源２３から出力された逆バイアス電圧が抵抗Ｒ１を介して選択的に第１のスイッチングダイオードＤ１のカソードに印加される。さらに、第２のスイッチＳ２の切り替えにより、第２の電源２４から出力された逆バイアス電圧が、抵抗Ｒ２を介して選択的に第２のスイッチングダイオードＤ２のカソードに印加されると共に、抵抗Ｒ５を介して選択的に第３のスイッチングダイオードＤ３のカソードに印加される。
【００２９】
そして、各スイッチングダイオードＤ１、Ｄ２、Ｄ３のカソードがグランド電位の場合に各スイッチングダイオードＤ１、Ｄ２、Ｄ３が導通し、各スイッチングダイオードＤ１、Ｄ２、Ｄ３のカソードが高電位の場合に各スイッチングダイオードＤ１、Ｄ２、Ｄ３が非導通とされる。この各スイッチングダイオードＤ１、Ｄ２、Ｄ３の導通状態に応じてＶＨＦローバンド、ＶＨＦハイバンドおよびＵＨＦバンドで受信帯域が切り替えられる。
【００３０】
次に、図１および図２を参照して、受信チューナの受信帯域の切り替え動作について説明する。図２は、本発明の実施の形態に係る受信チューナの切り替え動作時の各スイッチングダイオードの導通状態を示す図である。
【００３１】
ＶＨＦローバンドに受信帯域が切り替えられる場合、第１のスイッチＳ１の接続先が第１の電源２３に切り替えられ、第１の電源２３から逆バイアス電圧が、抵抗Ｒ１を介して第１のスイッチングダイオードＤ１のカソードに印加される。また、第２のスイッチＳ２の接続先が第２の電源２４に切り替えられ、第２の電源２４から逆バイアス電圧が、抵抗Ｒ２を介して第２のスイッチングダイオードＤ２のカソードに印加されると共に、抵抗Ｒ５を介して第３のスイッチングダイオードＤ３のカソードに印加される。
【００３２】
これにより、各スイッチングダイオードＤ１、Ｄ２、Ｄ３のカソードが高電位となり、各スイッチングダイオードＤ１、Ｄ２、Ｄ３が非導通とされる。この場合、ＶＨＦ入力ライン３は、第１のスイッチングダイオードＤ１の非導通によりコンデンサＣ１、Ｃ２、インダクタＬ１からなる第１の直列共振回路を介してグランドに接続されると共に、インダクタＬ４、コンデンサＣ５、Ｃ６からなる第２の直列共振回路を介してグランドに接続される。この第１、第２の直列共振回路は、受信チャネルに対して高域側の減衰機能を有するフィルタ回路として機能する。また、アンテナ入力回路２は、第３のスイッチングダイオードＤ３の非導通により、インダクタＬ２、Ｌ３、Ｌ５、Ｌ６およびバラクタダイオードＶＤにより同調周波数が設定される。
【００３３】
そして、入力端子２１から入力されたＶＨＦローバンドのテレビジョン信号は、アンテナ入力回路２において同調周波成分が取り出される。アンテナ入力回路２を通過したテレビジョン信号は、ＶＨＦ高周波増幅回路１１において増幅され、ＶＨＦ高周波同調回路１２において同調周波成分が取り出される。ＶＨＦ高周波同調回路１２を通過したテレビジョン信号は、ＶＨＦ混合回路１３において中間周波信号に周波数変換される。ＶＨＦ混合回路１３で周波数変換された中間周波信号は、ＩＦ増幅回路１９において増幅され、図示しない後段の回路に入力される。
【００３４】
ＶＨＦハイバンドの低域から中間域側に受信帯域が切り替えられる場合、低域チャネルから中間域チャネル受信時には、第１のスイッチＳ１の接続先が第１の電源２３に切り替えられ、第１の電源２３から逆バイアス電圧が抵抗Ｒ１を介して第１のスイッチングダイオードＤ１のカソードに印加される。また、第２のスイッチＳ２の接続先がグランドに切り替えられ、第２、第３のスイッチングダイオードＤ２、Ｄ３のカソードがグランドに導通される。
【００３５】
これにより、第１のスイッチングダイオードＤ１のカソードが高電位となり、第１のスイッチングダイオードが非導通とされる。また、第２、第３のスイッチングダイオードＤ２、Ｄ３のカソードがグランド電位となり、第２、第３のスイッチングダイオードＤ２、Ｄ３が導通される。この場合、ＶＨＦ入力ライン３は、第１のスイッチングダイオードＤ１の非導通によりコンデンサＣ１、Ｃ２、インダクタＬ１からなる第１の直列共振回路を介してグランドに接続されると共に、第２のスイッチングダイオードＤ２の導通によりインダクタＬ４、コンデンサＣ５からなる第２の直列共振回路を介してグランドに接続される。
【００３６】
この第１、第２の直列共振回路は、受信チャネルに対して高域側の減衰機能を有するフィルタ回路として機能する。これは、第１の直列共振回路において、容量値の小さなコンデンサＣ２と容量値の大きなコンデンサＣ１とが直列接続されるため、第１の直列共振回路の容量性リアクタンスが減少し、第１の共振回路の共振周波数、すなわち、減衰極が高域側に移動するためである。また、アンテナ入力回路２は、第３のスイッチングダイオードＤ３の導通により、インダクタＬ３、Ｌ６が直列に接続され、インダクタＬ３、Ｌ６およびバラクタダイオードＶＤにより同調周波数が設定される。
【００３７】
そして、入力端子２１から入力されたＶＨＦハイバンドの低域側のテレビジョン信号は、ＶＨＦローバンドのテレビジョン信号受信時と同様に、ＶＨＦ高周波増幅回路１１、ＶＨＦ高周波同調回路１２、ＶＨＦ混合回路１３、ＩＦ増幅回路１９を介して図示しない後段の回路に入力される。
【００３８】
ＶＨＦハイバンドの高域側に受信帯域が切り替えられる場合、第１、第２のスイッチＳ１、Ｓ２の接続先がグランドに切り替えられ、第１、第２、第３のスイッチングダイオードＤ１、Ｄ２、Ｄ３のカソードがグランドに導通される。
【００３９】
これにより、第１、第２、第３のスイッチングダイオードＤ１、Ｄ２、Ｄ３のカソードがグランド電位となり、第１、第２、第３のスイッチングダイオードＤ１、Ｄ２、Ｄ３が導通される。この場合、ＶＨＦ入力ライン３は、第１のスイッチングダイオードＤ１の導通によりコンデンサＣ１、インダクタＬ１からなる第１の直列共振回路を介してグランドに接続されると共に、第２のスイッチングダイオードＤ２の導通によりインダクタＬ４、コンデンサＣ５からなる第２の直列共振回路を介してグランドに接続される。
【００４０】
この第１、第２の直列共振回路は、受信チャネルに対して低域側の減衰機能を有するフィルタ回路として機能する。これは、第１の直列共振回路において、容量値の大きなコンデンサＣ１が容量値の小さなコンデンサＣ２よりも第１のスイッチングダイオードＤ１に優位に導通されるため、第１の直列共振回路の容量性リアクタンスが増加し、第１の直列共振回路の共振周波数、すなわち、減衰極が低域側に移動するためである。また、アンテナ入力回路２は、第３のスイッチングダイオードＤ３の導通により、インダクタＬ３、Ｌ６が直列に接続され、インダクタＬ３、Ｌ６およびバラクタダイオードＶＤにより同調周波数が設定される。
【００４１】
そして、入力端子２１から入力されたＶＨＦハイバンドの高域側のテレビジョン信号は、ＶＨＦローバンドのテレビジョン信号受信時と同様に、ＶＨＦ高周波増幅回路１１、ＶＨＦ高周波同調回路１２、ＶＨＦ混合回路１３、ＩＦ増幅回路１９を介して図示しない後段の回路に入力される。
【００４２】
ＵＨＦバンドに受信帯域が切り替えられる場合、第１のスイッチＳ１の接続先が第１の電源２３に切り替えられ、第１の電源２３から逆バイアス電圧が、抵抗Ｒ１を介して第１のスイッチングダイオードＤ１のカソードに印加される。また、第２のスイッチＳ２の接続先が第２の電源２４に切り替えられ、第２の電源２４から逆バイアス電圧が、抵抗Ｒ２を介して第２のスイッチングダイオードＤ２のカソードに印加されると共に、抵抗Ｒ５を介して第３のスイッチングダイオードＤ３のカソードに印加される。
【００４３】
これにより、第１、第２、第３のスイッチングダイオードＤ１、Ｄ２、Ｄ３のカソードが高電位となり、第１、第２、第３のスイッチングダイオードＤ１、Ｄ２、Ｄ３が非導通とされる。この場合、入力端子２１はコンデンサＣ１、Ｃ２を介してＵＨＦアンテナ同調回路１５に接続されると共に、ＵＨＦ入力ライン４がインダクタＬ１を介してグランドに接続される。このインダクタＬ１は、ＵＨＦバンドのテレビジョン信号受信時のハイバスフィルタとして機能する。
【００４４】
そして、入力端子２１から入力されたＵＨＦバンドのテレビジョン信号は、ＵＨＦアンテナ同調回路１５において同調周波成分が取り出される。ＵＨＦアンテナ同調回路１５を通過したテレビジョン信号は、ＵＨＦ高周波増幅回路１６において増幅され、ＵＨＦ高周波同調回路１７において同調周波成分が取り出される。ＵＨＦ高周波同調回路１７を通過したテレビジョン信号は、ＵＨＦ混合回路１８において中間周波信号に周波数変換される。ＵＨＦ混合回路１８で周波数変換された中間周波信号は、ＩＦ増幅回路１９において増幅され、図示しない後段の回路に入力される。
【００４５】
ここで、図３および図４を参照して、図１に示す受信チューナを回路モデルとしてＶＨＦハイバンドのテレビジョン信号受信時のアンテナ選択特性をシミュレーションした結果について、図５に示す比較例に係る受信チューナと比較しつつ説明する。図３は、ＶＨＦハイバンドのアンテナ選択特性の一例を示す図である。図４は、受信チューナに入力された入力信号の入力電界レベルと妨害耐性との関係の一例を示す図である。なお、図３において、（ａ）、（ｂ）、（ｃ）は、図５に示す比較例のアンテナ選択特性、（ｄ）、（ｅ）、（ｆ）は、本実施の形態のアンテナ選択特性をそれぞれ示している。また、図４において、（ａ）は、図５に示す比較例の妨害耐性、（ｂ）は、本実施の形態の妨害耐性をそれぞれ示している。
【００４６】
図３（ａ）、（ｂ）に示すように、比較例に係る受信チューナによるＶＨＦハイバンドの低域チャネル（１３３ＭＨｚ）および中間域チャネル（２０３ＭＨｚ）受信時においては、受信チャネルの低域側および高域側で十分な減衰特性が得られる。図３（ｃ）に示すように、比較例に係る受信チューナ１によるＶＨＦハイバンドの高域チャネル（３３７ＭＨｚ）受信時においては、受信チャネルの低域側において十分な減衰特性が得られていない。
【００４７】
この場合、ＶＨＦハイバンドの高域チャネル受信時において、１３９ＭＨｚおよび１９９ＭＨｚにそれぞれ妨害波が存在すると、これらの妨害波の加算した周波数にも妨害波が発生するため、受信チャネル付近に影響が生じる。このようなアンテナ選択特性を有する受信チューナに、図４（ａ）に示すように、受信チャネルおよび妨害波の入力電界レベルを６０ｄＢμとして妨害耐性を２つ算出したところ、８４ｄＢ、８０ｄＢという結果が得られた。さらに、受信チャネルおよび妨害波の入力電界レベルを８０ｄＢμに上げて、妨害耐性を２つ算出したところ、６０Ｂ、５８ｄＢに低下した。このように、比較例に係る受信チューナにおいては、入力電界レベルが低い場合には十分な妨害耐性が得られるが、入力電界レベルが高い場合には十分な妨害耐性が得られない。
【００４８】
一方、図３（ｄ）、（ｆ）に示すように、本実施の形態に係る受信チューナ１によるＶＨＦハイバンドの低域チャネル（１３３ＭＨｚ）および中間域チャネル（２０３ＭＨｚ）受信時においては、比較例に係る受信チューナと比較して受信チャネルの高域側の減衰特性がさらに向上される。これは、図１に示すアンテナ入力回路２において、インダクタＬ４、コンデンサＣ５からなる直列共振回路に加え、コンデンサＣ１、Ｃ２、インダクタＬ１により直列共振回路が構成され、さらに、コンデンサＣ１、Ｃ２の直列接続により直列共振回路の容量リアクタンスが小さくなるためである。
【００４９】
図３（ｆ）に示すように、本実施の形態に係る受信チューナ１によるＶＨＦハイバンドの高域チャネル（３３７ＭＨｚ）受信時においては、比較例に係る受信チューナ１と比較して受信チャネルの低域側の減衰特性が向上されている。これは、図１に示すアンテナ入力回路２において、インダクタＬ４、コンデンサＣ５からなる直列共振回路に加え、コンデンサＣ１、インダクタＬ１により直列共振回路が構成され、さらに、コンデンサＣ１の容量値がコンデンサＣ２の容量値に対して大きいため、直列共振回路の容量リアクタンスが大きくなるためである。
【００５０】
このようなアンテナ選択特性を有する受信チューナ１で、図４（ｂ）に示すように、受信チャネルおよび妨害波の入力電界レベルを６０ｄＢμ、７０ｄＢμ、８０ｄＢμとして妨害耐性を算出したところ、約８０ｄＢμ以上の結果が得られた。このように、本実施の形態に係る受信チューナ１においては、入力電界レベルを高くした場合においても十分な妨害耐性を得ることが可能となる。
【００５１】
以上のように、本実施の形態に係る受信チューナ１によれば、ＶＨＦハイバンドの高域チャネル受信時に、ＶＨＦ入力ライン３が第１のスイッチングダイオードＤ１を介してグランドに接続される。このとき、ＶＨＦ入力ライン３とグランドとの間には、コンデンサＣ１およびインダクタＬ１からなる直列共振回路が形成され、コンデンサＣ１の容量値が大きいことから、直列共振回路の容量性リアクタンスが増加して減衰極が低域側に移動する。よって、所定の周波数よりも低い周波数の信号が減衰され、ＶＨＦハイバンドの高域チャネル受信時の低域側の妨害耐性を向上させることが可能となる。
【００５２】
また、ＶＨＦハイバンドの低域チャネル受信時に、ＶＨＦ入力ライン３が第１のスイッチングダイオードＤ１を介さずにコンデンサＣ２を介してグランドに接続される。このとき、ＶＨＦ入力ライン３とグランドとの間には、コンデンサＣ１、コンデンサＣ２、インダクタＬ１からなる直列共振回路が形成され、コンデンサＣ１およびコンデンサＣ２の合成容量が小さくなるため、直列共振回路の容量性リアクタンスが減少して減衰極が高域側に移動する。よって、所定周波数以上の周波数の信号が減衰され、ＶＨＦハイバンドの低域チャネル受信時の高域側の妨害特性を向上させることが可能となる。
【００５３】
なお、上記した本実施の形態においては、テレビジョン信号を受信する構成したが、この構成に限定されるものではない。ＶＨＦローバンド、ＶＨＦハイバンドおよびＵＨＦバンドの信号を受信するものであればよく、他の無線信号を受信する構成としてもよい。
【００５４】
また、上記した本実施の形態においては、スイッチング素子をスイッチングダイオードとする構成としたが、この構成に限定されるものではなく、入力信号の導通および非導通を切り替えられる構成であればよい。
【００５５】
また、上記した本実施の形態においては、ＶＨＦハイバンドの低域チャネル受信時に、第１のスイッチングダイオードを非導通として、受信チャネルの高域側の妨害特性を向上させる構成としたが、この構成に限定されるものではない。ＶＨＦハイバンドの低域チャネル受信時に、第１のスイッチングダイオードを導通させる構成としてもよい。
【００５６】
また、今回開示された実施の形態は、全ての点で例示であってこの実施の形態に制限されるものではない。本発明の範囲は、上記した実施の形態のみの説明ではなくて特許請求の範囲によって示され、特許請求の範囲と均等の意味および範囲内での全ての変更が含まれることが意図される。
【産業上の利用可能性】
【００５７】
以上説明したように、本発明は、ＶＨＦハイバンドの低域チャネルから中間域チャネル受信時の選択性能を低下させることなく、ＶＨＦハイバンドの高域チャネル受信時の妨害耐性を向上させることができるという効果を有し、特に、ＶＨＦバンドおよびＵＨＦバンドのテレビジョン信号を受信可能な受信チューナに有用である。
【符号の説明】
【００５８】
１  受信チューナ
２  アンテナ入力回路
３  ＶＨＦ入力ライン
４  ＵＨＦ入力ライン
１１  ＶＨＦ高周波増幅回路
１２  高周波同調回路
１３  ＶＨＦ混合回路
１５  ＵＨＦアンテナ同調回路
１６  ＵＨＦ高周波増幅回路
１７  ＵＨＦ高周波同調回路
１８  ＵＨＦ混合回路
１９  ＩＦ増幅回路
２１  入力端子
２３  第１の電源
２４  第２の電源
２５  第３の電源
２６  第４の電源
Ｃ１  コンデンサ（第２のキャパシタ）
Ｃ２  コンデンサ（第１のキャパシタ）
Ｄ１  第１のスイッチングダイオード（スイッチング素子）
Ｄ２  第２のスイッチングダイオード
Ｄ３  第３のスイッチングダイオード
Ｌ１  インダクタ
Ｓ１  第１のスイッチ
Ｓ２  第２のスイッチ
Ｓ３  第３のスイッチ
【図１】
2011019168.tif 000003
【図２】
2011019168.tif 000004
【図３】
2011019168.tif 000005
【図４】
2011019168.tif 000006
【図５】
2011019168.tif 000007
【図６】
2011019168.tif 000008